(57)【要約】【課題】  本発明は、光学的パラメータの調整精度と調整時間を両立することが可能な光学機器を提供することを目的とする。【解決手段】  第１の光学的パラメータを調整することが可能な第１の操作部と、前記第１の光学的パラメータとは異なる第２の光学的パラメータと、前記第１の光学的パラメータと、を調整することが可能な第２の操作部と、を備え、前記第１の操作部の単位回転角度あたりの前記第１の光学的パラメータの調整量と、前記第２の操作部の単位回転角度あたりの前記第１の光学的パラメータの調整量とは互いに異なる、ことを特徴とする光学機器。【選択図】  図１
2019105813.tif 000002
【特許請求の範囲】
【請求項１】
第１の光学的パラメータを調整することが可能な第１の操作部と、
前記第１の光学的パラメータとは異なる第２の光学的パラメータと、前記第１の光学的パラメータと、を調整することが可能な第２の操作部と、を備え、
前記第１の操作部の単位回転角度あたりの前記第１の光学的パラメータの調整量と、前記第２の操作部の単位回転角度あたりの前記第１の光学的パラメータの調整量とは互いに異なる、
ことを特徴とする光学機器。
【請求項２】
前記第１の操作部は前記第１の光学的パラメータのみを調整することが可能である、
ことを特徴とする請求項１に記載の光学機器。
【請求項３】
前記第１の操作部は前記第１の光学的パラメータと異なる光学的パラメータも調整することが可能である、
ことを特徴とする請求項１に記載の光学機器。
【請求項４】
前記光学機器は、レンズ鏡筒と、前記レンズ鏡筒の内部に設けられた結像光学系と、を備えるレンズ装置であって、
前記第１の操作部は前記レンズ鏡筒の外周に設けられた第１の操作リングであり、
前記第２の操作部は前記レンズ鏡筒の外周に設けられた第２の操作リングである、
ことを特徴とする請求項１乃至３のいずれか一項に記載の光学機器。
【請求項５】
前記第１の操作リングの前記単位回転角度あたりの前記第１の光学的パラメータの調整量は、前記第２の操作リングの前記単位回転角度あたりの前記第１の光学的パラメータの調整量よりも大きく、
前記結像光学系の光軸方向において、前記第１の操作リングは前記第２の操作リングよりも物体側に設けられている、
こと特徴とする請求項４に記載の光学機器。
【請求項６】
前記第２の操作リングの前記単位回転角度あたりの前記第１の光学的パラメータの調整量は、前記第１の操作リングの前記単位回転角度あたりの前記第１の光学的パラメータの調整量よりも大きく、
前記結像光学系の光軸方向において、前記第１の操作リングは前記第２の操作リングよりも物体側に設けられている、
こと特徴とする請求項４に記載の光学機器。
【請求項７】
前記光学機器は、レンズ鏡筒と、前記レンズ鏡筒の内部に結像光学系と、を備えるレンズ装置と、前記レンズ装置を保持可能な本体部とを有する、
ことを特徴とする請求項１乃至３のいずれか一項に記載の光学機器。
【請求項８】
前記第１の操作部は前記レンズ鏡筒の外周に設けられた操作リングであり、
前記第２の操作部は前記本体部に設けられた操作ダイアルである、
ことを特徴とする請求項７に記載の光学機器。
【請求項９】
前記操作リングの前記単位回転角度あたりの前記第１の光学的パラメータの調整量は、前記操作ダイアルの前記単位回転角度あたりの前記第１の光学的パラメータの調整量よりも大きい、
ことを特徴とする請求項８に記載の光学機器。
【請求項１０】
前記操作リングの前記単位回転角度あたりの前記第１の光学的パラメータの調整量は、前記操作ダイアルの前記単位回転角度あたりの前記第１の光学的パラメータの調整量よりも小さい、
ことを特徴とする請求項８に記載の光学機器。
【請求項１１】
前記第１の操作部は前記本体部に設けられた第１の操作ダイアルであり、
前記第２の操作部は前記本体部に設けられた第２の操作ダイアルである、
ことを特徴とする請求項７に記載の光学機器。
【請求項１２】
前記第１の操作ダイアルの前記単位回転角度あたりの前記第１の光学的パラメータの調整量は、前記第２の操作ダイアルの前記単位回転角度あたりの前記第１の光学的パラメータの調整量よりも大きい、
ことを特徴とする請求項１１に記載の光学機器。
【請求項１３】
前記第１の操作ダイアルの前記単位回転角度あたりの前記第１の光学的パラメータの調整量は、前記第２の操作ダイアルの前記単位回転角度あたりの前記第１の光学的パラメータの調整量よりも小さい、
ことを特徴とする請求項１１に記載の光学機器。
【請求項１４】
前記第１の操作部と前記第２の操作部は外径、厚み、形状、表面色、材質のうち少なくとも一つが互いに異なる、
ことを特徴とする請求項１乃至１３のいずれか一項に記載の光学機器。
【請求項１５】
前記第１の操作部の単位回転角度あたりの前記第１の光学的パラメータの調整量と、前記第２の操作部の単位回転角度あたりの前記第１の光学的パラメータの調整量とは変更可能である、
ことを特徴とする請求項１乃至１４のいずれか一項に記載の光学機器。
【請求項１６】
前記第１の操作部及び前記第２の操作部のうち少なくとも一方にクリック感を生じさせるためのクリック機構をさらに備える、
ことを特徴とする請求項１乃至１５のいずれか一項に記載の光学機器。
【請求項１７】
前記クリック機構が前記クリック感を生じさせるタイミングは変更可能である、
ことを特徴とする請求項１６に記載の光学機器。
【請求項１８】
前記第１の光学的パラメータ及び前記第２の光学的パラメータは、ズームレンズユニットの位置、フォーカスレンズユニットの位置、絞りユニットの開口径のいずれかである、
ことを特徴とする請求項１乃至１７のいずれか一項に記載の光学機器。
【請求項１９】
前記第１の操作部及び前記第２の操作部は電子リングであって、
前記第１の操作部の回転量と前記第２の操作部の回転量を検出するための検出部をさらに備える、
ことを特徴とする請求項１乃至１８のいずれか一項に記載の光学機器。
【発明の詳細な説明】
【技術分野】
【０００１】
本発明は、デジタルカメラ、ビデオカメラおよび交換レンズ等の光学機器に関する。
【背景技術】
【０００２】
レンズ鏡筒部分に、フォーカスレンズユニットを駆動させるためのフォーカスリング及びズームレンズユニットを駆動させるためのズームリングに加えて、第三の操作リングが設けられた光学機器として、特許文献１に記載のレンズ装置が知られている。特許文献１に記載のレンズ装置に設けられている第三の操作リングには、撮影モードの変更機能や電子ズーム機能などの複数の機能の中から選ばれた機能を割り当てることが可能である。
【先行技術文献】
【特許文献】
【０００３】
【特許文献１】米国特許第９１４０９６０号明細書
【発明の概要】
【発明が解決しようとする課題】
【０００４】
前述のように特許文献１において第三の操作リングに電子ズーム機能を割り当てた場合、ズームリングを用いても第三の操作リングを用いてもズーミングが可能となる。ただし、光学ズームあるいは電子ズームという違いはある。
【０００５】
ある機能を実現できる操作リングが１つしかない場合には、粗調整としてその１つの操作リングを大きく回転させた後に、操作リングを慎重に操作して微調整を行うための時間が必要になる。短時間で操作リングの操作を終えようとすると、操作リングを慎重に操作して微調整を行う時間が少ないために、ある光学的パラメータの所望量の調整を精度良く行うことができない。
【０００６】
２つの操作リングが同じ機能を実現可能な場合に２つの操作リングを粗調整用と微調整用とで使い分ける構成について考える。この構成においては、粗調整用リングを操作してから微調整用リングを操作すれば、短時間でかつ精度良くフォーカシングやズーミングなどの所定の光学操作を精度良く行うことができる。しかしながら、特許文献１には２つの操作リングを粗調整用と微調整用とで使い分ける構成に関する開示はない。
【０００７】
そこで本発明は、光学的パラメータの調整精度と調整時間を両立することが可能な光学機器を提供することを目的とする。
【課題を解決するための手段】
【０００８】
上記目的を解決するために、本発明の光学機器は、
第１の光学的パラメータを調整することが可能な第１の操作部と、
前記第１の光学的パラメータとは異なる第２の光学的パラメータと、前記第１の光学的パラメータと、を調整することが可能な第２の操作部と、を備え、
前記第１の操作部の単位回転角度あたりの前記第１の光学的パラメータの調整量と、前記第２の操作部の単位回転角度あたりの前記第１の光学的パラメータの調整量とは互いに異なる、
ことを特徴とする。
【発明の効果】
【０００９】
本発明によれば、光学的パラメータの調整精度と調整時間を両立することが可能な光学機器を提供することができる。
【図面の簡単な説明】
【００１０】
【図１】各実施例に係る光学機器の構成を示すブロック図
【図２】各実施例における回転リングと検出部の構成を示す図
【図３】各実施例に係る光学機器の外観図
【図４】各実施例における回転リングの検出系が出力する信号波形を示す図
【発明を実施するための形態】
【００１１】
＜第１実施例＞
（カメラシステムの構成）
図１を用いて本発明の各実施例に係るカメラシステム（撮像装置）の構成について説明する。ここでいうカメラシステムとは、レンズ装置１１０と、レンズ装置１１０を保持可能なカメラ本体（本体部）１０１の総称である。本発明の各実施例でいう光学機器とはレンズ装置１１０単体もカメラシステムも指す言葉である。
【００１２】
（カメラ本体１０１の構成）
カメラ本体１０１はレンズ装置１１０を保持可能であり、内部に撮像素子２００と、後述のレンズ装置１１０に設けられた制御部２０９と通信可能な制御部２１０を有している。レンズ装置１１０はカメラ本体１０１から取り外し可能であってもよいし、取り外し不可能であってもよい。
【００１３】
（レンズ装置１１０の構成）
レンズ装置１１０は、レンズ鏡筒２０７と、レンズ鏡筒２０７の内部に設けられた撮影光学系（結像光学系）１２０と、撮影光の光量調整を行うための絞りユニット１２５を備えている。
【００１４】
撮影光学系１２０は、撮影光学系１２０の光軸ＯＡの方向（以後、光軸方向）に不動の固定レンズ２０６、フォーカスレンズ１２１、ズームレンズ２０３を備えている。フォーカスレンズ１２１が光軸方向に移動することで焦点調整が行われ、ズームレンズ２０３が光軸方向に移動することで焦点距離調整（変倍）が行われる。
【００１５】
フォーカスレンズ１２１はフォーカスレンズ鏡筒１２６に保持されている。図１において、１２２はフォーカスレンズ１２１及びフォーカスレンズ鏡筒１２６を備えるフォーカスレンズユニットである。フォーカスレンズユニット１２２はフォーカスアクチュエータ１２３を駆動源とした駆動機構により光軸方向に移動可能である。フォーカスレンズユニット１２２の移動量は、フォーカスレンズ移動量検出機構によって検出可能である。このフォーカスレンズ移動量検出機構は、フォーカスレンズ鏡筒１２６側に貼り付けられ、明暗パターンが印刷された不図示のスケールと、不図示の固定部材に設けられ、投光素子と受光素子を含む光センサである位置センサ１２４とで構成されている。
【００１６】
なお、フォーカスレンズ移動量検出機構の構成は、上記のスケール及び位置センサ１２４を備える構成に限定されるものではない。例えば、フォーカスアクチュエータ１２３がステッピングモータの場合は、ステッピングモータの駆動パルスカウントによりフォーカスレンズユニット１２２の移動量を検出してもよい。本実施例および後述の各実施例では、フォーカスレンズ移動量検出機構の構成に関わらず、移動量を検出可能な最小単位のことを制御可能な最小制御量と定義する。
【００１７】
ズームレンズ２０３はズームレンズ鏡筒２０２に保持されている。図１において、２０４はズームレンズ２０３及びズームレンズ鏡筒２０２を備えるズームレンズユニットである。ズームレンズユニット２０４はズームアクチュエータ２０５を駆動源とした駆動機構により光軸方向に駆動可能である。ズームレンズユニット２０４の移動量は、ズームレンズ移動量検出機構によって検出可能である。このズームレンズ移動量検出機構は、ズームレンズ鏡筒２０２側に貼り付けられ、明暗パターンが印刷された不図示のスケールと、不図示の固定部材に設けられ、投光素子と受光素子を含む光センサである位置センサ２０１とで構成されている。このズームレンズ移動量検出機構の構成は前述のフォーカスレンズ移動量検出機構と同様に、光センサを用いた構成に限定されるものではない。また、ズームレンズユニット２０４を光軸方向に駆動させる機構はズームアクチュエータ２０５を駆動源とした構成に限定されるものではない。レンズ鏡筒２０７の外周に設けられた操作リングと機械的に連結したカム筒を回転させることでズームレンズユニット２０４を光軸方向に駆動させる機構であってもよい。さらに、レンズ装置１１０はズームレンズユニット２０４を備えていなくてもよい。つまり、レンズ装置１１０は単焦点のレンズ装置であってもよい。
【００１８】
レンズ鏡筒２０７の外周には、第１の回転リング（第１の操作部）１１１と第２の回転リング（第２の操作部）１１２が設けられている。第１の回転リング１１１と第２の回転リング１１２とは光軸ＯＡを中心として回転することが可能なリング状の操作部材である。
【００１９】
（第１の回転リング１１１の機能）
第１の回転リング１１１は、光軸ＯＡを中心として時計回り方向（以後、Ａ方向）にも反時計回り方向（以後、Ｂ方向）にも無制限に回動可能な様にレンズ装置１１０に保持されている。第１の回転リング１１１をＡ方向に回動させると、予め定められた一定の角度αだけ回動させる毎にＡ方向に回動したことを示す信号（１パルス）が出力され、レンズ装置１１０内に設けられた制御部２０９に伝達される。第１の回転リング１１１は電子リングである。
【００２０】
第１の回転リング１１１をＢ方向に回動させると、予め定められた一定の単位角度α（Ａ方向の場合と同じ角度である）だけ回動させる毎にＢ方向に回動したことを示す信号（１パルス）が出力され制御部２０９に伝達される。即ち、例えば第１の回転リング１１１をＡ方向に角度３αだけ回動させると、Ａ方向に回動したことを示す信号が３回（３パルス）出力され制御部２０９に伝達される。
【００２１】
制御部２０９はＡ方向に回動したことを示す信号が出力された回数（パルス数）を数えることで、Ａ方向に第１の回転リング１１１が回動した角度（回転量）を判定することが出来る。同様に、制御部２０９はＢ方向に回動したことを示す信号が出力された回数を数えることで、Ｂ方向に第１の回転リング１１１が回動した角度（回転量）を判定することが出来る。
【００２２】
制御部２０９は第１の回転リング１１１の回動した角度と回動した方向に応じて所定の処理を行う。処理の一例として本実施例では、第１の回転リング１１１をＡ方向に回す角度に応じてより近くの対象に焦点が合う位置にフォーカスレンズユニット１２２が移動する様に制御部２０９がフォーカスアクチュエータ１２３を駆動する。回転操作角度が大きく出力パルスが多いほど、フォーカスレンズユニット１２２の移動量が大きくなる。また、第１の回転リング１１１をＢ方向に回す角度に応じてより遠くの対象に焦点が合う位置にフォーカスレンズユニット１２２が移動する様に制御部２０９がフォーカスアクチュエータ１２３を駆動する。
【００２３】
（第２の回転リング１１２の機能）
第２の回転リング１１２は第１の回転リング１１１と同様に光軸ＯＡを中心としてＡ方向およびＢ方向に無制限に回動可能な様にレンズ鏡筒に保持されている。第２の回転リング１１２は第１の回転リング１１１よりも拡大共役側（物体側）に配置されている。第２の回転リング１１２は第１の回転リング１１１と比較して、カメラ本体１０１からより遠い位置に保持されている。第２の回転リング１１２は、第１の回転リング１１１とともに光軸ＯＡと同心で、光軸方向に並んで配置されている。
【００２４】
第２の回転リング１１２をＡ方向に回動させると、予め定められた一定の角度βだけ回動させる毎にＡ方向に回動したことを示す信号が出力され制御部２０９に伝達される。第２の回転リング１１２をＢ方向に回動させると、予め定められた一定の角度βだけ回動させる毎にＢ方向に回動したことを示す信号が出力され制御部２０９に伝達される。第２の回転リング１１２は電子リングである。
【００２５】
制御部２０９はＡ方向に回動したことを示す信号が出力された回数を数えることで、Ａ方向に第２の回転リング１１２が回動した角度を判定することが出来る。同様に、制御部２０９はＢ方向に回動したことを示す信号が出力された回数を数えることで、Ｂ方向に第２の回転リング１１２が回動した角度を判定することが出来る。
【００２６】
制御部２０９は第２の回転リング１１２の回動した角度と回動した方向に応じて所定の処理を行う。処理の一例として本実施例では、第２の回転リング１１２をＡ方向に回す角度に応じてより近くの対象に焦点が合う位置にフォーカスレンズユニット１２２が移動する様に制御部２０９がフォーカスアクチュエータ１２３を駆動する。また、第２の回転リング１１２をＢ方向に回す角度に応じてより遠くの対象に焦点が合う位置にフォーカスレンズユニット１２２が移動する様に制御部２０９がフォーカスアクチュエータ１２３を駆動する。
【００２７】
（第１の検出部１１３及び第２の検出部１１４の構成）
レンズ装置１１０は、第１の回転リング１１１の回転方向及び回転量（操作方向及び操作量）を検出するための第１の検出部１１３を備えている。レンズ装置１１０は更に、第２の回転リング１１２の回転方向及び回転量（操作方向及び操作量）を検出するための第２の検出部１１４を備えている。図２及び図３を用いて第１の検出部１１３及び第２の検出部１１４の構成について説明する。
【００２８】
第１の検出部１１３及び第２の検出部１１４は、図２（ａ）（ｃ）（ｄ）に示されている検出素子であるフォトインタラプタ１２７−１、１２７−２と、くし歯１２８を備えている。図２（ａ）はフォトインタラプタ１２７−１、１２７−２と、くし歯１２８の斜視図である。図２（ｃ）は図２（ｂ）に示すＡ−Ａ断面における第１の回転リング１１１あるいは第２の操作リング１１２の断面図である。図２（ｄ）は図２（ｃ）中のフォトインタラプタ１２７−１、１２７−２と、くし歯１２８を拡大したものである。図２（ｄ）に示すように、くし歯１２８の凹凸ピッチＸと、フォトインタラプタ１２７−１と１２７−２の配置間隔Ｙは、回転の向きを検出するために１／４周期ずれるような関係に設定されている。図３は、図２（ｄ）に示すＡ方向の回転リング１１１の回動にともなってくし歯１２８が移動することによる、２つのフォトインタラプタ１２７−１と１２７−２からの出力の変化を示す図である。図３中のＬはＬｏｗ、ＨはＨｉｇｈを表している。
【００２９】
第１の回転リング１１１が単位角度（単位回転角度）αだけ回転する毎に、２つのフォトインタラプタからの出力が（Ｌ，Ｌ）、（Ｈ，Ｌ）、（Ｈ，Ｈ）、（Ｌ，Ｈ）、（Ｌ，Ｌ）と１パルスずつ変化して一巡する。２つのフォトインタラプタからの出力が（Ｌ，Ｌ）で始まって（Ｈ，Ｌ）、（Ｈ，Ｈ）、（Ｌ，Ｈ）、（Ｌ，Ｌ）と変化すると単位角度αの４倍だけ第１の回転リング１１１がＡ方向に回動したと判定される。逆に、（Ｌ，Ｌ）で始まって（Ｌ，Ｈ）、（Ｈ，Ｈ）、（Ｈ，Ｌ）、（Ｌ，Ｌ）と一巡すると、Ａ方向と逆のＢ方向に単位角度αの４倍だけ第１の回転リング１１１が回動したと判定される。単位角度αはくし歯ピッチＸの１／４の量に相当する。この構成により、第１の回転リング１１１の回転量と回転方向を検出することができる。
【００３０】
なお、第２の回転リング１１２の回転方向及び回転量の検出も第１の回転リング１１１の場合と同様の方法により行われる。
【００３１】
第１の回転リング１１１の単位角度α及び第２の回転リング１１２の単位角度βは、第１の回転リング及び第２の回転リング１１２に一体的に形成されたくし歯の凹凸ピッチにより決定することができる。例えば、本実施例では、第１の回転リング１１１及び第２の回転リング１１２に形成されたくし歯の凹凸ピッチは等しく設定している。従って第１の回転リング１１１用のフォトインタラプタと第２の回転リング１１２の回転検出用のフォトインタラプタの配置位置が光軸に対して、互いが等しい距離に配置されている場合には、単位角度αと単位角度βは同じになる。
【００３２】
なお、第１の検出部１１３及び第２の検出部１１４の構成は上記の構成に限定されるものではない。例えば、第１の回転リング１１１及び第２の回転リング１１２の内径に検出用電気基板を設け、導通ブラシとの物理的な摺接によりパルスを検出する方法でも良い。そして、第１の検出部１１３及び第２の検出部１１４の構成は同じでなくてもよい。
【００３３】
（２つの操作リングの使い分け）
本実施例では、第１の回転リング及び第２の回転リング１１２が光軸周りに回転させられた際に、いずれにおいても、フォーカスレンズ１２１が光軸方向に移動可能となっている。より具体的には、第１の回転リング１１１はフォーカスレンズ１２１を光軸方向に移動させるためのフォーカスリングとしての機能しか持たない。一方で、第２の回転リング１１２はフォーカスリングとしての機能以外にも、ズームレンズ２０３を光軸方向に移動させるためのズームリングとしての機能や、絞り１２５の開口径を変更するための絞りリングとしての機能も割り当てることができる。つまり、レンズ装置１１０において第２の回転リング１１２が実現する機能を変更することができる。
【００３４】
本実施例においては、第１の回転リング１１１が光軸周りに単位角度α回転された際のフォーカスレンズ１２１の移動量は、第２の回転リング１１２が光軸周りに単位角度β回転された際のフォーカスレンズ１２１の移動量とは互いに異なるようになっている。
【００３５】
第１の回転リング１１１が光軸周りに単位角度α回転された際のフォーカスレンズ１２１の移動量をＸ、第２の回転リング１１２が光軸周りに単位角度β回転された際のフォーカスレンズ１２１の移動量をＹとする。このとき、本実施例においては、ＸとＹが互いに異なっている、と考えることもできる。
【００３６】
例えば、第１の回転リング１１１が光軸周りに単位角度α回転された際（１パルス分の回転操作で）、フォーカスアクチュエータ１２３を最小制御量分だけ駆動させるようにする。そうすることで、制御可能な限界の小さな移動量でフォーカスレンズ１２１を移動させることができ、厳密な焦点合わせが可能になる。言い換えれば、第１の回転リング１１１を微調整用フォーカスリングとして使うことができる。
【００３７】
一方で、第２の回転リング１１２が光軸周りに単位角度β回転された際、フォーカスアクチュエータ１２３を最小制御量分の２倍、或いは３倍駆動させるようにする。言い換えれば、第２の操作リング１１２を粗調整用フォーカスリングとして使うことができる。
【００３８】
（本実施例の構成で得ることのできる効果）
間もなく動きだそうとしている被写体を撮影する場合など、回転リングの操作（光学的パラメータの調整）を短時間で行う必要がある場合を考える。例えば、フォーカスリングとしての機能を実現できる操作リングが１つしかない場合には、その操作リングには微調整可能な敏感度が設定される。このとき、その操作リングにおいて単位回転角度当たりのフォーカスレンズ移動量を小さくする必要がある。このため、その操作リングを大きく回して粗調整をしたあとに微調整する必要がある。その結果、所望の合焦状態を実現するために必要な時間が長くなってしまう。この場合に、本実施例で示す光学機器においては、粗調整用リングを操作して粗調整を行ってから微調整用リングを操作して微調整を行うことで、短時間でかつ精度良く光学的パラメータの調整を行うことができる。言い換えれば、本実施例で示す光学機器においては、光学的パラメータの調整精度と調整時間を両立することができる。
【００３９】
このように、本実施例で示す光学機器であるレンズ装置１１０は、微調整用の第１の回転リング１１１と粗調整用の第２の回転リング１１２を備えている。また、前述のように、第１の回転リング１１１はフォーカスリングとして機能するリングであり、フォーカスレンズ１２１の位置（第１の光学的パラメータ）を調整することが可能な第１の操作部である。また、第２の回転リング１１１は、フォーカスリング、ズームリング、絞りリングとして機能するリングである。つまり、第２の回転リング１１１はフォーカスレンズ１２１の位置と、それ以外のズームレンズ２０３の位置、絞りユニット１２５の開口径など（第２の光学的パラメータ）を調整することが可能な第２の操作部である。
【００４０】
そして、レンズ装置１１０では、第１の回転リング１１１の単位回転角度あたりの第１の光学的パラメータの調整量と、第２の回転リング１１２の単位回転角度あたりの第１の光学的パラメータの調整量とが互いに異なっている。
【００４１】
レンズ装置１１０が上記の構成を備えることによって、前述のように、従来よりも短時間で光学的パラメータの調整を行うことが可能となる。さらに、第１の回転リング１１１と第２の回転リング１１２が光軸ＯＡ方向において互いに異なる位置に配置されていることで、一方の回転リングを操作してから他方の回転リングを操作しようとする際に手を動かすだけで済む。また、第１の回転リング１１１も第２の回転リング１１２も光軸ＯＡ周りに回る同様の構成であるために、本実施例においてユーザーは従来から行ってきた操作リングの回転操作を行えばよいので、ユーザーの混乱を招きにくくすることが可能となる。
【００４２】
本実施例では、第１の回転リング１１１が光軸周りに単位角度α回転された際、フォーカスアクチュエータ１２３を最小制御量分だけ駆動させるようにする。そして、第２の回転リング１１２が光軸周りに単位角度β回転された際、フォーカスアクチュエータ１２３を最小制御量分の２倍、或いは３倍駆動させるようにしている。その上、第１の回転リング１１１の径と第２の回転リング１１２の外径が等しく、かつ、２つの回転リングの回転量を検出するためのくし歯の検出ピッチも互いに等しい。この結果、単位角度αとβは等しくなっている。言い換えれば、同じフォーカスレンズ１２１の移動量を得る際、第１の回転リング１１１の回転操作量が第２の回転リング１１２の回転操作量よりも大きくなっている。なお、ここでいう回転操作量とは、各回転リングが回転した際の最外径部分の移動距離として定義するものとする。従って、回転リングの最外径を大きくすると、１パルス出力するための操作角度（単位回転角度）は、くし歯の検出ピッチが同じ場合には小さくなる。
【００４３】
（変形例）
以下、本実施例の変形例について説明する。
【００４４】
前述のレンズ装置１１０において、第１の回転リング１１１と第２の回転リング１１２の外径は互いに等しいが、両者の外径を互いに異なるようにしてもよい。より詳細には、第１の回転リング１１１の外径よりも第２の回転リング１１２の外径の方が大きくてもよい。この場合、第２の検出部１１４におけるフォトインタラプタ１２７−１及び１２７−２の光軸ＯＡからの位置が、第１の検出部１１３と比較して、より光学ＯＡから離れた位置となる。このため、くし歯の検出ピッチが同じ場合には、第２の回転リング１１２の単位回転角度βが第１の回転リング１１１の単位回転角度αよりも小さくなる。
【００４５】
このように、２つの回転リングの外径を互いに異ならせることで第１の回転リング１１１と第２の回転リング１１２の違いがより明確となる。また、２つの回転リングの光軸ＯＡ方向の厚みを互いに異ならせてもよい。また、第１の回転リング１１１と第２の回転リング１１２の表面パターンあるいは表面の材質を互いに異ならせてもよい。ここでいう表面パターンとは、表面形状、表面色などのことである。
【００４６】
前述の説明においては、第１の回転リング１１１がフォーカスリングであり、第２の回転リング１１２が複数の機能を割り当て可能なカスタムリングであり、第２の回転リング１１２にフォーカスリングの機能が割り当てられていた。第２の回転リング１１２に割り当てる機能の変更は、カメラ本体１０１あるいはレンズ装置１１０に設けられたセレクタ（機能変更部）で行えばよい。第２の回転リング１１２に割り当てる機能の変更は、カメラ本体１０１あるいはレンズ装置１１０に設けられた表示画面中に表示されているメニューで行えるようになっていてもよい。図４（ａ）（ｂ）（ｃ）に示す、カメラ本体１０１に設けられたシャッターボタン１０５付近の操作ダイアル１０４や、液晶表示画面１０２付近の操作ダイアル１０３を、上記のセレクタとして用いてもよい。操作ダイアル１０４及び１０３は時計回り方向にも反時計回り方向にも回転可能となっている。操作ダイアル１０４あるいは１０３を回転させることで第２の回転リング１１２に割り当てられる機能が変更されるようになっていてもよい。この場合、液晶表示画面１０２に第２の回転リング１１２に割り当てられている現在の機能が表示されるようになっていてもよい。
【００４７】
第１の回転リング１１１がフォーカスリングではなくズームリングとして構成されており、第２の回転リング１１２にズームリングとしての機能が割り当てられている場合にも本実施例の考え方を適用することができる。より詳細には、レンズ装置１１０を、第１の回転リング１１１の単位回転角度あたりのズームレンズ２０３の移動量と、第２の回転リング１１２の単位回転角度あたりのズームレンズ２０３の移動量とが互いに異なるように構成してもよい。この構成では、第２の回転リング１１２にフォーカスリングとしての機能も割り当てることが可能とすることでフォーカシングも行うことができる。
【００４８】
第１の回転リング１１１をフォーカスリングとして構成し、ズームリングとして第３の回転リングをレンズ装置１１０に追加した構成であってもよい。この構成の場合には、第３の回転リングの単位回転角度あたりのズームレンズ２０３の移動量と、第２の回転リング１１２の単位回転角度あたりのズームレンズ２０３の移動量とを互いに異ならせればよい。
【００４９】
第１の回転リング１１１も第２の回転リング１１２と同様に複数の機能を割り当てることが可能なカスタムリングとして構成されていてもよい。この構成の場合には、第１の回転リング１１１を微調整用の絞りリング、第２の回転リング１１２を粗調整用の絞りリングとして使い分けることもできる。
【００５０】
第１の回転リング１１１及び第２の回転リング１１２に形成されたくし歯の凹凸ピッチは等しく設定しているが、２つの回転リング間で凹凸ピッチが互いに異なっていてもよい。この場合でも単位角度αと単位角度βの関係が異なるのみであり、凹凸ピッチが等しい場合と同様の効果を得ることができる。
【００５１】
本変形例では前述の第１実施例における設定とは逆の設定を行ってもよい。つまり、同じフォーカスレンズ１２１の移動量を得る際、第２の回転リング１１２の回転操作量が第１の回転リング１１１の回転操作量よりも大きくなるような設定を行ってもよい。言い換えれば、第２の回転リング１１２を微調整用リングとして用い、第１の回転リング１１１を粗調整用リングとして用いてもよい。
【００５２】
前述の第１の光学的パラメータと第２の光学的パラメータは、ズームレンズユニットの位置、フォーカスレンズユニットの位置、絞りユニットの開口径のいずれかである。しかしながら、第１の光学的パラメータと第２の光学的パラメータは上記のパラメータに限定されるものではない。例えば、撮影光学系１２０の焦点距離、撮影画角（倍率）、ＩＳＯ感度、シャッタースピードなどを第１あるいは第２の光学的パラメータとしてもよい。例えば、第１の回転リング１１１が電子ズームを行うための操作リングで、第２の回転リング１１２が光学ズームを行うための操作リングだとする。この場合、第１の回転リング１１１が単位回転角度だけ操作された場合の画角変化量（倍率変化量）と、第２の回転リング１１２が単位回転角度だけ操作された場合の画角変化量（倍率変化量）が互いに異なっていればよい。画角変化量は、液晶表示画面１０２内に表示されている、ある被写体の液晶表示画面１０２内でのサイズの変化量と考えてもよい。
【００５３】
なお、前述の第１実施例においては第１の回転リング１１１と第２の回転リング１１２で最小分解能が同じフォトインタラプタを用いていた。しかしながら、第１の回転リング１１１と第２の回転リング１１２で互いに最小分解能が異なるフォトインタラプタを用いてもよい。ここでいう最小分解能とは、１パルス検出される円周における移動量である。第１の回転リング１１１と第２の回転リング１１２のうち微調整用の操作リングにより最小分解能が高いフォトインタラプタを搭載してもよいし、粗調整用の操作リングにより最小分解能が高いフォトインタラプタを搭載してもよい。粗調整用の操作リングにより最小分解能が高いフォトインタラプタを搭載すれば少しの操作量で例えばフォーカスレンズをより多く移動させることができるため、より短時間で所望の撮影条件を実現することができるために好ましい。
【００５４】
＜第２実施例＞
次に本発明の第２実施例について説明する。本実施例においては、前述の第１実施例と異なり、回転リングの単位回転角度あたりの光学的パラメータの調整量及び光学的パラメータの調整が開始される回転リングの最小操作量をユーザーが変更可能になっている。
【００５５】
より詳細には、カメラ本体１０１は撮影モードから、回転リングの単位回転角度あたりの光学的パラメータの調整量及び光学的パラメータの調整が開始される回転リングの最小回転量を変更するモードとなる。このモードの遷移は、図４（ａ）（ｂ）（ｃ）に示す操作ダイアル１０４あるいは１０３をユーザーが操作することで行われる。例えば、第１の回転リング１１１が単位回転角度αだけ回転してもフォーカスレンズ１２１は光軸方向に移動せず、３α回転するとフォーカスレンズ１２１が光軸方向への移動を開始するような設定が可能である。この場合、前述の最小回転量は３αとなる。このような設定を行えるようにすることで、所定の回転操作量に対して僅かなフォーカスレンズ１２１の移動しか行わないことになり、焦点合わせを行う作業が容易になる。
【００５６】
前述の第１実施例においては、第２の回転リング１１２が光軸周りに単位角度β回転された際、フォーカスアクチュエータ１２３を最小制御量分の２倍、或いは３倍駆動させるようにしていた。これに対して本実施例においては、例えば、第２の回転リング１１２が光軸周りに単位角度β回転された際、フォーカスアクチュエータ１２３を最小制御量分の５倍駆動させる設定変更を行うことができる。この結果、前述の第１実施例と比較して第２の回転リング１１２は少ない回転角度でフォーカスレンズ１２１をより大きく移動させることができ、フォーカスレンズ１２１をより短時間で所望の位置に合わせことが可能となる。つまり、本実施例においても第１の回転リング１１１と第２の回転リング１１２との併用により、焦点合わせのスピードと精度を両立させることが可能になる。
【００５７】
＜第３実施例＞
前述の第１実施例及び第２実施例においては、第１の回転リング１１１、第２の回転リング１１２ともに、回転操作時の回転抵抗が極力変化なく滑らかに回転するような仕様となっている。これに対して本実施例においては、レンズ装置１１０が、第１の回転リング１１１と第２の回転リング１１２のうち少なくとも一方に回転操作時にクリック感を付与する機構（クリック機構）を備えている。クリック機構は、磁力、静電気力、バネ力などを利用したアクチュエータにより、設定されたクリックタイミングでクリック感を付与するものであれば、どのような構成でも構わない。
【００５８】
このクリック機構によって、例えば、第１の回転リング１１１が単位角度α回転した場合あるいは第２の回転リング１１２が単位角度β回転した場合に、フォトインタラプタの出力信号が１パルス分変化するタイミングで１クリックの感触を得ることができる。
【００５９】
（変形例）
前述の第２実施例に上記のクリック機構を付加してもよい。より具体的には、フォーカスアクチュエータ１２３の最小制御量の駆動を行わせる回転操作量（最小操作量）を任意に設定する。そして、第１の回転リング１１１あるいは第２の回転リング１１２が設定された最小操作量動くたびにクリック感を生じさせるクリック機構をレンズ装置１１０に設けてもよい。本変形例におけるレンズ装置１１０においては、最小操作量をユーザーが任意に変更可能であるために、クリック感が生じるタイミングもユーザーが任意に変更することができる。そして、第１の回転リング１１１及び第２の回転リング１１２のうちクリック感が付与された回転リングを１クリック分回転させるとフォーカスレンズ１２１が最小移動単位分だけ光軸方向に移動する。この結果、ユーザーがフォーカスレンズ１２１移動を行っている感覚がより伝わり易くなり、より快適な焦点合わせの操作が可能になる。また、ユーザーが回転リングを操作する際に、操作と感触との一体感をより得やすくなる。
【００６０】
なお、クリック機構がクリック感を与えることのできるリングは、第１の回転リング１１１と第２の回転リング１１２のうち少なくとも一方であればよい。ただし、第１の回転リング１１１、第２の回転リング１１２のうち、少なくとも同じフォーカスレンズ１２１の移動量を得る際、より大きな回転操作量を必要とする側のリング、言い換えれば微調整用リングにはクリック感があることが好ましい。
【００６１】
＜第４実施例＞
前述の各実施例においては、単位回転角度あたりの第１の光学的パラメータの調整量が互いに異なる２つの操作部として第１の回転リング１１１及び第２の回転リング１１２を備えるレンズ装置１１０の構成について説明した。しかしながら、この２つの操作部は両方ともレンズ装置１１０に設けられていなくてもよい。より詳細には、２つの操作部のうち一方はレンズ装置１１０に設けられ、他方はカメラ本体１０１に設けられていてもよいし、２つの操作部の両方がカメラ本体１０１に設けられていてもよい。
【００６２】
本実施例においては、図４（ａ）（ｂ）（ｃ）に示した操作ダイアル１０４及び１０３が上記の２つの操作部として機能することができる。つまり、本実施例における光学機器とは、２つの操作部を備えるカメラ本体と、レンズ装置を有する撮像装置のことである。前述の各実施例における光学機器とはレンズ装置１１０のことである。本実施例においては、第１の操作ダイアル１０４の単位回転角度あたりの第１の光学的パラメータの調整量と、第２の操作ダイアル１０３の単位回転角度あたりの第１の光学的パラメータの調整量とが互いに異なっている。
【００６３】
より詳細には、第２の操作ダイアル１０３の単位回転角度あたりの第１の光学的パラメータの調整量は、第１の操作ダイアル１０４の単位回転角度あたりの第１の光学的パラメータの調整量よりも大きくなっている。この調整量の大小関係は逆であってもよい。
【符号の説明】
【００６４】
１１１  第１の回転リング（第１の操作部）
１１２  第２の回転リング（第２の操作部）
１１０  レンズ装置（光学機器）
【図１】
2019105813.tif 000003
【図２】
2019105813.tif 000004
【図３】
2019105813.tif 000005
【図４】
2019105813.tif 000006